(57)【特許請求の範囲】
【請求項１】
ＩＳＤＮ回線に接続されて、前記ＩＳＤＮ回線と情報の送受信を行うＩＳＤＮ回線Ｉ／Ｆと、
利用者側と情報の送受信を行う内線Ｉ／Ｆと、
前記ＩＳＤＮ回線Ｉ／Ｆが前記内線Ｉ／Ｆから受信した情報のうちダイヤルＱ２（登録商標）のパスワードジャンルの電話番号のダイヤルを前記ＩＳＤＮ回線に送信したのち前記ＩＳＤＮ回線側からステミュラス手順コードを受信すると、前記内線Ｉ／Ｆが受信した情報のうち前記パスワードジャンルの電話番号のダイヤルに続く情報をステミュラスデータ形式に変換して、前記ＩＳＤＮ回線Ｉ／Ｆに出力し、ステミュラスデータ形式の情報を送信すると、ステミュラスモードを解除する制御手段と
を備えことを特徴とする電話装置。
【請求項２】
請求項１記載の電話装置において、
前記制御手段は、前記ＩＳＤＮ回線Ｉ／Ｆがステミュラス手順コードを受信後には前記内線Ｉ／Ｆが受信した情報をステミュラスデータ形式に変換し、
前記ＩＳＤＮ回線Ｉ／Ｆが相手応答を受信後には前記内線Ｉ／Ｆが受信した情報をＰＢ信号に変換する
ことを特徴とする電話装置。
【請求項３】
請求項１記載の電話装置において、
所定の電話番号を登録するテーブルをさらに備え、
前記制御手段は、前記内線Ｉ／Ｆが受信した電話番号が前記テーブルに登録されている場合、前記ＩＳＤＮ回線Ｉ／Ｆがステミュラス手順コードを受信後に前記内線Ｉ／Ｆが受信した情報はステミュラスデータ形式に変換し、前記ステミュラスデータ形式に変換した情報を前記ＩＳＤＮ回線に出力後に前記内線Ｉ／Ｆが受信した情報はＰＢ信号に変換する
ことを特徴とする電話装置。
【請求項４】
請求項１記載の電話装置において、
前記主装置は、前記内線Ｉ／Ｆが受信する所定の信号に対応した所定の情報を登録するテーブルをさらに備え、
前記制御手段は、前記内線Ｉ／Ｆが前記所定の信号を受信し、この所定の信号に対応する前記テーブルに登録された所定の情報が第１の情報と、この第１の情報に続く所定のコードと、この所定のコードに続く第２の情報とから構成されている場合、前記第１の情報を電話番号として前記ＩＳＤＮ回線Ｉ／Ｆに出力後に前記ＩＳＤＮ回線Ｉ／Ｆがステミュラス手順コードを受信すると、前記第２の情報はステミュラスデータ形式に変換し、前記ステミュラスデータ形式に変換した第２の情報を前記ＩＳＤＮ回線Ｉ／Ｆに出力後に前記内線Ｉ／Ｆが受信した情報はＰＢ信号に変換する
ことを特徴とする電話装置。
【請求項５】
利用者が操作することにより各種情報を入力する操作部と、
この操作部より入力された情報をＰＢ信号に変換するＰＢダイヤラーと、
このＰＢダイヤラーが変換したＰＢ信号を２ＷＩ／Ｆに送出する外線Ｉ／Ｆと
を備えた単独電話機を接続され、
この単独電話機と情報の送受信を行う２ＷＩ／Ｆと、
捕捉されている状態の際に前記２ＷＩ／Ｆが受信したＰＢ信号を蓄積するＰＢレシーバと、
ＩＳＤＮ回線に接続されて、前記ＩＳＤＮ回線と情報の送受信を行うＩＳＤＮ回線Ｉ／Ｆと、
前記ＰＢレシーバの捕捉および解放を行い、前記ＩＳＤＮ回線Ｉ／Ｆが前記２ＷＩ／Ｆから受信したＰＢ信号のうちダイヤルＱ２（登録商標）のパスワードジャンルの電話番号のダイヤルに対応するＰＢ信号を前記ＩＳＤＮ回線に送信したのち、所定時間内に前記ＩＳＤＮ回線側からステミュラス手順コードを受信すると前記ＰＢレシーバに蓄積されたＰＢ信号をステミュラスデータ形式に変換したものを、前記所定時間内に前記ステミュラス手順コードを受信しないと前記ＰＢレシーバに蓄積されたＰＢ信号を、前記ＩＳＤＮ回線Ｉ／Ｆに出力する制御手段と
を備えたことを特徴とする電話装置。
【請求項６】
請求項５記載の電話装置において、
前記制御部は、前記ＩＳＤＮ回線Ｉ／Ｆがステミュラス手順コードを受信すると、前記ＰＢレシーバを捕捉し、このＰＢレシーバに蓄積されたＰＢ信号をステミュラスデータ形式に変換し、前記ＩＳＤＮ回線Ｉ／Ｆに送出した後、前記ＰＢレシーバを解放する
ことを特徴とする電話装置。
【発明の詳細な説明】
【０００１】
【発明の属する技術分野】
本発明は、電話装置に関し、特にＩＳＤＮ回線に接続されて、ダイヤルＱ２（登録商標）（以下、便宜上「ダイヤルＱ２（登録商標）」を「ダイヤルＱ２」と言う）のパスワードジャンルの番組のサービスを受けることができる電話装置に関する。
【０００２】
【従来の技術】
ダイヤルＱ２のパスワードジャンルの番組は、所定の電話番号を発信した後、パスワードを送信することにより、特定のサービスの提供を受けることができる。ＩＳＤＮ回線を用いてダイヤルＱ２のパスワードジャンルの番組からサービスを受ける場合の手順について、図１２に示す電話装置とＩＳＤＮ交換網との間の通信を表すタイミングチャートを参照して説明する。
【０００３】
電話装置は、ダイヤルＱ２のパスワードジャンルのダイヤルを発信すると（ステップＳ１２０１）、ＩＳＤＮ交換網側は、ステミュラス手順コードを送信する（ステップＳ１２０２）。このステミュラス手順コードは、端末装置に、これより後のダイヤル信号はステミュラスデータ形式で送信させるための指示を表すＩＳＤＮのコマンドである。電話装置は、ＩＳＤＮ交換網側より、ステミュラス手順コードに続いて、「パスワードを入力してください」というメッセージを受信する（ステップＳ１２０３）。このメッセージに対して電話装置の利用者は、パスワードをダイヤルする。すると、電話装置は、ステミュラス手順コードを受信しているので、利用者がダイヤルしたパスワードを、ステミュラスデータ形式に変換して、ＩＳＤＮ交換網側に送信する（ステップＳ１２０４）。
【０００４】
ＩＳＤＮ交換網側は、ステミュラスデータ形式のパスワードを受信し、このパスワードが正しい場合、サービスセンタに接続して、ダイヤルＱ２の番組を選択するよう電話装置に指示を送信（相手応答）する（ステップＳ１２０５）。その後、サービスセンタは、選択したダイヤルＱ２の番組がＰＢ信号で電話装置側から送られてくるのを待っている。
【０００５】
相手応答に対して利用者は、選択する番組に対応する番号をダイヤルする。このとき、サービスセンタは、ＰＢ信号を受信するのを待っているので、電話装置は、サービスセンタから利用者が選択した番組のサービスを受けるためには、利用者がダイヤルした番号をＰＢ信号に変換してＩＳＤＮ交換網側に送信しなければならない。
【０００６】
【発明が解決しようとする課題】
しかしながら、例えばボタン電話装置などの従来の電話装置では、ＩＳＤＮ交換網側からステミュラス手順コードを受信すると（ステップＳ１２０２）、ダイヤル信号を全てステミュラスデータ形式に変換して（ステップＳ１２０６）ＩＳＤＮ交換網側に送信してしまう。
このため、ボタン電話装置でダイヤルＱ２のパスワードジャンルの番組のサービスを受けるには、ダイヤル信号をステミュラスデータ形式またはＰＢ信号に切り替えるボタンを、子機に登録する必要があった。さらに利用者は、そのボタンでダイヤルをステミュラスデータ形式からＰＢ信号に戻す作業を行わなければならなかった。その結果、従来のボタン電話装置は、ダイヤルＱ２のパスワードジャンルのサービスを受けるには、使い勝手が悪かった。
【０００７】
また、従来のボタン電話装置の主装置に単独電話機（ＰＢ信号タイプ）を接続した場合、主装置には、単独電話機から入力されるＰＢ信号を受信するＰＢレシーバが設けられる。このＰＢレシーバは、単独電話機から入力されるＰＢ信号を蓄積する。主装置は、単独電話機が回線捕捉操作を行うとＰＢレシーバを捕捉し、その単独電話機から送られてくるＰＢ信号をＰＢレシーバに蓄積させ、この蓄積されたＰＢ信号をＩＳＤＮ交換網側が要求するデータ形式に変換してＩＳＤＮ交換網側に送出する。
一般に、主装置には、合理化のために主装置に接続可能な複数の単独電話機より少ないＰＢレシーバが設けられている。このため、主装置に複数の単独電話機が接続されている場合に、全てのＰＢレシーバを捕捉していると、他の単独電話機はダイヤルを発信することができない。したがって主装置は、単独電話機から入力されたダイヤルＱ２の番号をＩＳＤＮ交換網側に送出すると（ステップＳ１２０１）、ＰＢレシーバを解放するように構成されている。
ＰＢレシーバを解放すると、主装置は、単独電話機から受信するＰＢ信号を、そのままＩＳＤＮ回線網側に送出する。このため、主装置は、ＩＳＤＮ交換網側からステミュラス手順コードを受信しても（ステップＳ１２０２）、ＰＢレシーバを捕捉していないので単独電話機から受信するＰＢ信号を他のデータ形式、つまりステミュラスデータ形式に変換することができない（ステップＳ１２０４の場合もＰＢ信号を送信する）。したがって、主装置は、ステミュラスデータ形式のパスワードをＩＳＤＮ交換網側に送信できない。このため、従来のボタン電話装置の主装置に単独電話機（ＰＢ信号タイプ）を接続した場合は、ダイヤルＱ２のパスワードジャンルの番組のサービスを受けることができなかった。
【０００８】
さらに、従来のボタン電話装置の主装置に単独電話機（ＤＰ信号タイプ）を接続した場合、主装置は、子機の場合と同様に単独電話機のダイヤルを検出して、検出したダイヤルを各データ形式に変換してＩＳＤＮ交換網側に送出する。したがって、主装置は、ＩＳＤＮ交換網側からステミュラス手順コードを受信すると（ステップＳ１２０２）、パスワードより後の単独電話機のダイヤル全てをステミュラスデータ形式に変換して（ステップＳ１２０６）ＩＳＤＮ交換網側に送信してしまう。ボタン電話装置の子機の場合、上述したように、手動でステミュラスモードを解除することにより、ダイヤルＱ２のパスワードジャンルのサービスを受けることができる。しかし、従来のボタン電話装置の主装置に単独電話機を接続した場合は、単独電話機の機種によっては、ステミュラスモードを切り替えるボタンが登録できないため、ダイヤルＱ２のパスワードジャンルのサービスを受けることができなかった。
【０００９】
本発明は、上述したような課題を解決するためになされたものであり、ダイヤルＱ２のパスワードジャンルの番組のサービスを受けるのに使い勝手がよい電話装置を提供することを目的とする。
【００１０】
【課題を解決するための手段】
上述したような課題を解決するために本発明にかかる電話装置は、ＩＳＤＮ回線に接続されて、ＩＳＤＮ回線と情報の送受信を行うＩＳＤＮ回線Ｉ／Ｆと、利用者側と情報の送受信を行う内線Ｉ／Ｆと、ＩＳＤＮ回線Ｉ／Ｆが受信した情報に基づいて内線Ｉ／Ｆが受信した情報を変換してＩＳＤＮ回線Ｉ／Ｆに出力する制御手段とを備えことを特徴とする。ここで、利用者側とは、例えば、主装置に接続されて利用者が通話やダイヤル入力を行う子機や単独電話機などのことを意味する。
【００１１】
上記電話装置において、制御手段は、ＩＳＤＮ回線Ｉ／Ｆがステミュラス手順コードを受信後には内線Ｉ／Ｆが受信した情報をステミュラスデータ形式に変換し、ＩＳＤＮ回線Ｉ／Ｆが相手応答を受信後には内線Ｉ／Ｆが受信した情報をＰＢ信号に変換するようにしてもよい。なお、相手応答とは、ステミュラスデータ形式に変換した情報をＩＳＤＮ回線に送信後にＩＳＤＮ回線Ｉ／ＦがＩＳＤＮ回線側から受信する情報のことである。
【００１２】
本発明にかかる他の電話装置において、所定の電話番号を登録するテーブルをさらに備え、制御手段は、内線Ｉ／Ｆが受信した電話番号がテーブルに登録されている場合、ＩＳＤＮ回線Ｉ／Ｆがステミュラス手順コードを受信後に内線Ｉ／Ｆが受信した情報はステミュラスデータ形式に変換し、ステミュラスデータ形式に変換した情報をＩＳＤＮ回線に出力後に内線Ｉ／Ｆが受信した情報はＰＢ信号に変換するようにしてもよい。
【００１３】
本発明にかかる他の電話装置において、主装置は、内線Ｉ／Ｆが受信する所定の信号に対応した所定の情報を登録するテーブルをさらに備え、制御手段は、内線Ｉ／Ｆが所定の信号を受信し、この所定の信号に対応するテーブルに登録された所定の情報が第１の情報と、この第１の情報に続く所定のコードと、この所定のコードに続く第２の情報とから構成されている場合、第１の情報を電話番号としてＩＳＤＮ回線Ｉ／Ｆに出力後にＩＳＤＮ回線Ｉ／Ｆがステミュラス手順コードを受信すると、第２の情報はステミュラスデータ形式に変換し、ステミュラスデータ形式に変換した第２の情報をＩＳＤＮ回線Ｉ／Ｆに出力後に内線Ｉ／Ｆが受信した情報はＰＢ信号に変換するようにしてもよい。
なお、所定のコードとして、例えば、予め設定したステミュラス自動解除コード、ポーズコード、および区切りコード等を用いることができる。
【００１４】
本発明にかかる他の電話装置において、利用者が操作することにより各種情報を入力する操作部と、この操作部より入力された情報をＰＢ信号に変換するＰＢダイヤラーと、このＰＢダイヤラーが変換したＰＢ信号を２ＷＩ／Ｆに送出する外線Ｉ／Ｆとを備えた単独電話機を接続され、この単独電話機と情報の送受信を行う２ＷＩ／Ｆと、捕捉されている状態の際に２ＷＩ／Ｆが受信したＰＢ信号を蓄積するＰＢレシーバと、ＩＳＤＮ回線に接続されて、ＩＳＤＮ回線と情報の送受信を行うＩＳＤＮ回線Ｉ／Ｆと、ＰＢレシーバの捕捉および解放を行い、ＩＳＤＮ回線Ｉ／Ｆが受信した情報に基づいてＰＢレシーバに蓄積されたＰＢ信号を変換してＩＳＤＮ回線Ｉ／Ｆに出力する制御手段とを備えるようにしてもよい。
【００１５】
上記電話装置において、制御部は、この制御部がＰＢレシーバを捕捉している期間を測定するＰＢレシーバ解放タイマをさらに備え、このＰＢレシーバ解放タイマが所定の期間が経過したことを計測すると、捕捉してるＰＢレシーバを解放し、所定の期間内にＩＳＤＮ回線Ｉ／Ｆがステミュラス手順コードを受信すると、ＰＢレシーバに蓄積された情報をステミュラスデータ形式に変換するようにしてもよい。
【００１６】
本発明にかかる他の電話装置において、制御部は、ＩＳＤＮ回線Ｉ／Ｆがステミュラス手順コードを受信すると、ＰＢレシーバを捕捉し、このＰＢレシーバに蓄積されたＰＢ信号をステミュラスデータ形式に変換し、ＩＳＤＮ回線Ｉ／Ｆに送出した後、ＰＢレシーバを解放するようにしてもよい。
【００１７】
【発明の実施の形態】
［第１の実施の形態］
図１は、本発明にかかる第１の実施の形態の電話装置の構成を示すブロック図である。同図において、電話装置は、ＩＳＤＮ回線（以下、外線という）Ｌａ〜Ｌｍに接続された主装置１０と、内線伝送路３０を介して主装置１０に接続されたボタン電話機（以下、子機という）２０ａ〜２０ｎとから構成される。
【００１８】
主装置１０は、外線Ｌａ〜Ｌｍを終端接続する外線Ｉ／Ｆ１１ａ〜１１ｍと、内線伝送路３０を介して子機２０（２０ａ〜２０ｎ）を収容する内線Ｉ／Ｆ１２と、外線Ｉ／Ｆ１１ａ〜１１ｍと内線Ｉ／Ｆ１２（すなわち、子機２０ａ〜２０ｎ）との通話パスを形成する通話路スイッチ１３と、装置全体を制御し着信や外線の使用状態等の検出を行う制御部１４と、制御部１４での制御に必要な情報を記憶する記憶部１５とから構成される。
【００１９】
外線Ｉ／Ｆ１１は、ＩＳＤＮ交換網側に送出する各種信号をデジタル信号に変換して、ＩＳＤＮ交換網側に送出する。
制御部１４は、記憶部１５に記憶されているプログラムに基づいて、内線Ｉ／Ｆ１２から受信するダイヤル信号等の各種情報を、ステミュラスデータ形式またはＰＢ信号などの各データ形式に変換する。例えば、制御部１４は、外線Ｉ／Ｆ１１がＩＳＤＮ交換網側からステミュラス手順コードを受信すると、内線Ｉ／Ｆ１２から受信する情報を、ステミュラスデータ形式に変換して外線Ｉ／Ｆ１１に出力する（ステミュラスモード）。また、制御部１４は、記憶部１５に記憶されているプログラムに基づいてステミュラスモードを解除して、内線Ｉ／Ｆ１２から受信する情報を、ＰＢ信号に変換して外線Ｉ／Ｆ１１に出力する。
記憶部１５には、ステミュラスモードを自動的に解除する電話番号を記録するステミュラス自動解除テーブル、短縮ダイヤルを登録した短縮ダイヤルテーブル、制御部１４の動作に関するプログラム、電話装置１の各構成要素の状態などの電話装置１の全体の制御に必要な管理情報などが記憶されている。
【００２０】
一方、子機２０（２０ａ〜２０ｎ）は、それぞれ同様の構成を有しており、内線伝送路３０を介して主装置１０とデータ伝送を行う伝送回路２１と、伝送回路２１で受信した音声データを音声信号に復号化して送受機ＨＳのスピーカＳＰから出力するとともに、送受機ＨＳのマイクＭＩＣから入力した音声信号を符号化して伝送回路２１へ出力する通話回路２２と、子機２０の各部を制御する子機制御部２３、子機制御部２３の処理に用いる制御情報を記憶する記憶部２４と、各種の情報を表示する表示部２５と、フックスイッチやダイヤルキー等の各種キーの操作を検出する操作部２６と、受話信号を拡声するブザー２７とから構成される。
【００２１】
以上のように構成された電話装置において、利用者が子機２０の操作部２６を操作して外線発信操作を行うと、子機制御部２３はこれを検出して伝送回路２１を介し主装置１０へその発信操作情報を送信する。主装置１０の制御部１４は、内線Ｉ／Ｆ１２を介してその発信操作情報を受信すると、外線Ｉ／Ｆ１１へその発信操作情報を送信することにより、該当外線Ｌを捕捉させその捕捉外線Ｌを介して交換網側へダイヤル発呼情報を送信させるとともに、通話路スイッチ１３を制御して捕捉外線Ｌと該当子機２０との通話パスを接続する。これにより相手の呼出が行われ、相手が応答すると、利用者の子機２０を介する外線発信通話が行われる。
【００２２】
一方、発呼者が本電話装置宛に発呼することにより、交換網側から外線Ｌに着信が到来すると、主装置１０の制御部１４は外線Ｉ／Ｆ１１を介してその着信を検出し、内線Ｉ／Ｆ１２を介して子機２０へ着信情報を送信することにより、子機２０の呼出を行う。この呼出に対し、子機２０の利用者が操作部２６を操作して応答操作を行うと、この応答操作情報が主装置１０へ送信される。主装置１０の制御部１４は、内線Ｉ／Ｆ１２を介してこの応答操作情報を受信すると、外線Ｉ／Ｆ１１を制御して着信外線Ｌに応答させるとともに、通話路スイッチ１３を制御して着信応答外線Ｌと該当子機２０との通話パスを接続する。これにより、利用者の子機２０を介する着信応答通話が行われる。
【００２３】
なお、主装置１０の通話路スイッチとして、Ｔ（タイム）スイッチを設け、かつこのＴスイッチと各外線Ｉ／Ｆ１１ａ〜１１ｍ間の通話パスおよびＴスイッチと内線Ｉ／Ｆ１２間の通話パスとして周知のハイウェイバスを用いるようにして、制御部１４がＴスイッチを制御することにより、時分割による通話パスの接続制御を行うようにしてもよい。
【００２４】
上述したようなＩＳＤＮ回線に接続されたボタン電話装置において、ダイヤルＱ２のパスワードジャンルの番組のサービスを受ける場合の動作について図２を参照して説明する。図２は、第１の実施の形態にかかる電話装置の動作を示すフローチャートである。
第１の実施の形態は、手動でステミュラスモードを解除した電話番号を記憶部１５のステミュラス自動解除テーブルに登録し、次回にその電話番号を発信する際には自動的にステミュラスモードを解除するようにしたものである。
【００２５】
主装置１０は、利用者が子機２０の操作部２６を操作することによりダイヤルＱ２のパスワードジャンルの電話番号をダイヤルすると、その番号を外線Ｉ／Ｆ１１を介して、ＩＳＤＮ交換網側に送出する（ステップＳ２０１）。主装置１０の制御部１４は、利用者がダイヤルした番号が、記憶部１５に記憶されているステミュラス自動解除テーブルに登録されているか否かを確認する（ステップＳ２０２）。
【００２６】
初めてダイヤルする番号の場合、当然、その番号はステミュラス自動解除テーブルに登録されていない（ステップＳ２０２：ＮＯ）。そこで、制御部１４は、利用者が手動でステミュラスモードを解除したか否かを確認する（ステップＳ２０７）。
利用者がステミュラスモードを手動で解除した場合（ステップＳ２０７：ＹＥＳ）、制御部１４は、利用者がステミュラスモードを手動で解除したダイヤルＱ２のパスワードジャンルの番組の電話番号を、ステミュラス自動解除テーブルに登録する（ステップＳ２０８）。
利用者がステミュラスモードを手動で解除しない場合（ステップＳ２０７：ＮＯ）、制御部１４は、利用者が終話するか否かを確認する（ステップＳ２０９）。  子機２０の送受機ＨＳがオンフック状態になると、制御部１４は、通話パスを切断して、通話状態を終了する（ステップＳ２０９：ＹＥＳ）。子機２０の送受機ＨＳがオンフック状態にならない場合は（ステップＳ２０９：ＮＯ）、ステップＳ２０７に戻る。
【００２７】
ステミュラス自動解除テーブルに番号が登録されている場合（ステップＳ２０２：ＹＥＳ）、制御部１４は、外線Ｉ／Ｆ１１がＩＳＤＮ交換網側からステミュラス手順コードを受信後に（ステップＳ２０３：ＹＥＳ）、利用者がメッセージにしたがって操作部２６によりパスワードに対応するダイヤルを入力すると（ステップＳ２０４：ＹＥＳ）、入力されたダイヤル信号をステミュラスデータ形式に変換し、外線Ｉ／Ｆ１１を介してＩＳＤＮ交換網側に出力する（ステップＳ２０５）。
ステミュラスデータ形式の情報を送出すると、制御部１４は、ステミュラスモードを解除する（ステップＳ２０６）。そして、制御部１４は、これより後に利用者が操作部２６により検出されるダイヤルはＰＢ信号に変換し、外線Ｉ／Ｆ１１を介してＩＳＤＮ交換網側に出力する。
【００２８】
上述したように、第１の実施の形態にかかる電話装置は、一度かけたダイヤルＱ２のパスワードジャンルの番組はステミュラス自動解除テーブルに登録され、次に同じダイヤルＱ２のパスワードジャンルの番組をダイヤルすると、自動的にステミュラスモードが解除する。このため、第１の実施の形態にかかる電話装置は、ダイヤルＱ２のパスワードジャンルの番組のサービスを受けるのに使い勝手がよい。
【００２９】
なお、上述した第１の実施の形態にかかる電話装置の動作は、記憶部１５に記憶されたプログラムを制御部１４が実行することにより実現される。
【００３０】
［第２の実施の形態］
次に、第２の実施の形態にかかる電話装置について説明する。第２の実施の形態は、パスワードをステミュラス手順コードで出力後、ＩＳＤＮ交換網側からの相手応答でステミュラスモードを自動的に解除するものである。
なお、第２の実施の形態は、装置の構成については第１の実施の形態と同じであるので、第１の実施の形態と同等の構成要素には同じ符号および名前を付して、説明を適宜省略する。
【００３１】
図３は、第２の実施の形態にかかる電話装置の動作を示すフローチャートである。
主装置１０は、利用者が子機２０の操作部２６を操作することによりダイヤルＱ２のパスワードジャンルの電話番号をダイヤルすると、その番号を外線Ｉ／Ｆ１１を介して、ＩＳＤＮ交換網側に送信する（ステップＳ３０１）。外線Ｉ／Ｆ１１がＩＳＤＮ交換網側からステミュラス手順コードを受信し（ステップＳ３０２：ＹＥＳ）、利用者がメッセージにしたがって操作部２６によりパスワードに対応するダイヤルを入力すると（ステップＳ３０３：ＹＥＳ）、制御部１４は、入力されたダイヤル信号をステミュラスデータ形式に変換し、外線Ｉ／Ｆ１１を介してＩＳＤＮ交換網側に出力する（ステップＳ３０４）。
【００３２】
ステミュラスデータ形式の情報を受信したサービスセンタから相手応答を外線Ｉ／Ｆ１１が受信すると（ステップＳ３０５：ＹＥＳ）、制御部１４は、ステミュラスモードを解除する（ステップＳ３０６）すると、制御部１４は、これより後に利用者が操作部２６により入力されるダイヤルはＰＢ信号に変換し、外線Ｉ／Ｆ１１を介してＩＳＤＮ交換網側に出力する。
利用者が入力したパスワードに対応するダイヤルが間違っている等の原因により外線Ｉ／Ｆ１１がサービスセンタから相手応答を受信しない場合（ステップＳ３０５：ＮＯ）、制御部１４は、ステップＳ３０３に戻り、利用者によるダイヤルの再入力に備える。
【００３３】
上述したように、第２の実施の形態にかかる電話装置は、パスワードをステミュラス手順コードで出力後、ＩＳＤＮ交換網側からの相手応答でステミュラスモードを自動的に解除する。このため、第２の実施の形態にかかる電話装置は、パスワードを誤入力してしまった場合にも、パスワードを再入力することができるので、ダイヤルＱ２のパスワードジャンルの番組のサービスを受けるのに使い勝手がよい。
【００３４】
なお、上述した第２の実施の形態にかかる電話装置の動作は、記憶部１５に記憶されたプログラムを制御部１４が実行することにより実現される。
【００３５】
［第３の実施の形態］
次に、第３の実施の形態にかかる電話装置について説明する。第３の実施の形態は、ダイヤルの先頭の番号でステミュラスモードを認識し、パスワードの送出後、ステミュラスモードを自動的に解除するようにしたものである。
なお、第３の実施の形態における装置の構成は、第１の実施の形態と同じである。よって、第１の実施の形態と同等の構成要素には同じ符号および名前を付して、説明を適宜省略する。
【００３６】
記憶部１５には、ダイヤルＱ２のパスワードジャンルの番組の先頭の番号が記憶されている。制御部１４は、記憶部１５を参照することにより、利用者がダイヤルした番号がダイヤルＱ２のパスワードジャンルの番組の番号か否かを識別する。
【００３７】
図４は、第３の実施の形態にかかる電話装置の動作を示すフローチャートである。
主装置１０は、利用者が子機２０の操作部２６を操作することによりダイヤルＱ２の電話番号をダイヤルすると、その番号を外線Ｉ／Ｆ１１を介して、ＩＳＤＮ交換網側に送出する（ステップＳ４０１）。次に、制御部１４は、この出力したダイヤルＱ２の番号がパスワードジャンルの番組の番号である、つまりダイヤルの先頭の番号が「０９９０６」であるか否かを確認する（ステップＳ４０２）。
【００３８】
送出した番号が、ダイヤルＱ２のパスワードジャンルの番組ではない場合（ステップＳ４０２：ＮＯ）、制御部１４は、該当外線Ｌを捕捉させその捕捉外線Ｌを介して交換網側へダイヤル信号を送信させるとともに、通話路スイッチ１３を制御して捕捉外線Ｌと該当子機２０との通話パスを接続する。
【００３９】
送出した番号が、ダイヤルＱ２のパスワードジャンルの番組の番号である場合（ステップＳ４０２：ＹＥＳ）、制御部１４は、外線Ｉ／Ｆ１１がＩＳＤＮ交換網側からステミュラス手順コードを受信し（ステップＳ４０３：ＹＥＳ）、利用者がメッセージにしたがって操作部２６によりパスワードに対応するダイヤルを入力すると（ステップＳ４０４：ＹＥＳ）、入力されたダイヤル信号をステミュラスデータ形式に変換し、外線Ｉ／Ｆ１１を介してＩＳＤＮ交換網側に出力する（ステップＳ４０５）。
ステミュラスデータ形式の情報をＩＳＤＮ交換網側に送出すると、制御部１４は、ステミュラスモードを解除する（ステップＳ４０６）。そして、制御部１４は、これより後に操作部２６により検出されるダイヤルはＰＢ信号に変換してＩＳＤＮ交換網側に出力する。
【００４０】
上述したように、第３の実施の形態にかかる電話装置は、利用者がダイヤルＱ２の番号をダイヤルすると、このダイヤルの先頭の番号からパスワードジャンルの番組を識別し、パスワードジャンルの番組の場合は、パスワードの送出後、ステミュラスモードを自動的に解除する。このため、第３の実施の形態にかかる電話装置は、ダイヤルＱ２のパスワードジャンルの番組のサービスを受けるのに使い勝手がよい。
【００４１】
なお、上述した第３の実施の形態にかかる電話装置の動作は、記憶部１５に記憶されたプログラムを制御部１４が実行することにより実現される。
【００４２】
また、現時点ではダイヤルＱ２のパスワードジャンルの番組の先頭のダイヤルは「０９９０６」であるが、今後ダイヤルＱ２のパスワードジャンルの番組の先頭の番号が変更もしくは追加が生じた場合、その旨を記憶部１５に記憶させることにより、第３の実施の形態にかかる電話装置は、ステミュラスモードを認識して、パスワードの送出後、ステミュラスモードを自動的に解除することができる。
【００４３】
［第４の実施の形態］
次に、第４の実施の形態にかかる電話装置について説明する。
第４の実施の形態は、短縮ダイヤル中にステミュラスモードを解除するコード（ステミュラス自動解除コード）を入れたものである。ここで、利用者は、記憶部１５の短縮ダイヤルテーブルに短縮ダイヤルにダイヤルＱ２のパスワードジャンルの番組の番号を登録する際に、ダイヤルＱ２のパスワードジャンルの番組のダイヤルとパスワードとの間にステミュラス自動解除コードを入れて登録する。なお、第４の実施の形態における装置の構成は、第１の実施の形態と同じである。よって、第１の実施の形態と同等の構成要素には同じ符号および名前を付して、説明を適宜省略する。
【００４４】
図５は、第４の実施の形態にかかる電話装置の動作を示すフローチャートである。
利用者が子機２０の操作部２６を操作することにより短縮ダイヤルをダイヤルすると（ステップＳ５０１）、制御部１４は、記憶部１５の短縮ダイヤルテーブルを参照して、利用者がダイヤルした短縮ダイヤルにステミュラスモードを自動解除するコードが含まれているか否かを確認する（ステップＳ５０２）。
【００４５】
利用者がダイヤルした短縮ダイヤルにステミュラス自動解除コードが含まれていない場合（ステップＳ５０２：ＮＯ）、制御部１４は、記憶部１５の短縮ダイヤルテーブルを参照して、利用者がダイヤルした短縮ダイヤルに登録されている番号をダイヤルし（ステップＳ５０７）、該当外線Ｌを捕捉させその捕捉外線Ｌを介して交換網側へダイヤル信号を送信させるとともに、通話路スイッチ１３を制御して捕捉外線Ｌと該当子機２０との通話パスを接続する。
【００４６】
利用者がダイヤルした短縮ダイヤルにステミュラスモードを自動解除するコードが含まれている場合（ステップＳ５０２：ＹＥＳ）、制御部１４は、記憶部１５の短縮ダイヤルテーブルを参照して、ステミュラス自動解除コードの前までのダイヤル信号を外線Ｉ／Ｆ１１を介してＩＳＤＮ交換網側に発信する（ステップＳ５０３）。外線Ｉ／Ｆ１１がＩＳＤＮ交換網側からステミュラス手順コードを受信すると（ステップＳ５０４：ＹＥＳ）、制御部１４は、利用者がダイヤルした短縮ダイヤルのステミュラス自動解除コードの後ろのダイヤル信号を、ステミュラスデータ形式に変換し、外線Ｉ／Ｆ１１を介してＩＳＤＮ交換網側に送出する（ステップＳ５０５）。
【００４７】
ステミュラス自動解除コードの後ろのダイヤルを、ステミュラスデータ形式に変換してＩＳＤＮ交換網側に送出すると、制御部１４は、ステミュラスモードを解除する（ステップＳ５０６）。そして、制御部１４は、これより後に操作部２６により検出されるダイヤルはＰＢ信号に変換し、外線Ｉ／Ｆ１１を介してＩＳＤＮ交換網側に出力する。
【００４８】
上述したように、第４の実施の形態にかかる電話装置は、短縮ダイヤルにステミュラス自動解除コードが含まれていると、このコードの後ろのダイヤルをステミュラスデータ形式に変換してＩＳＤＮ交換網側に送出すると、自動的にステミュラスモードを解除する。このため、第４の実施の形態にかかる電話装置は、ダイヤルＱ２のパスワードジャンルの番組のサービスを受けるのに使い勝手がよい。
【００４９】
なお、上述した第４の実施の形態にかかる電話装置の動作は、記憶部１５に記憶されたプログラムを制御部１４が実行することにより実現される。
【００５０】
［第５の実施の形態］
次に、第５の実施の形態にかかる電話装置について説明する。
第５の実施の形態は、短縮ダイヤルの中にポーズコードを登録したものである。ここで、利用者は、記憶部１５の短縮ダイヤルテーブルに短縮ダイヤルにダイヤルＱ２のパスワードジャンルの番組を登録する際に、ダイヤルＱ２のパスワードジャンルの番組のダイヤルとパスワードとの間にポーズコードを入れて登録する。
なお、第５の実施の形態における装置の構成は、第１の実施の形態と同じである。よって、第１の実施の形態と同等の構成要素には同じ符号および名前を付して、説明を適宜省略する。
【００５１】
図６は、第５の実施の形態にかかる電話装置の動作を示すフローチャートである。
利用者が短縮ダイヤルをダイヤルしたことを子機２０の操作部２６が検出すると（ステップＳ６０１）、制御部１４は、記憶部１５の短縮ダイヤルテーブルを参照して、利用者がダイヤルした短縮ダイヤルにポーズコードが含まれているか否かを確認する（ステップＳ６０２）。
【００５２】
利用者がダイヤルした短縮ダイヤルにポーズコードが含まれていない場合（ステップＳ６０２：ＮＯ）、制御部１４は、記憶部１５の短縮ダイヤルテーブルを参照して、利用者がダイヤルした短縮ダイヤルに登録されている番号をダイヤルし（ステップＳ６０７）、該当外線Ｌを捕捉させその捕捉外線Ｌを介して交換網側へダイヤル信号を送信させるとともに、通話路スイッチ１３を制御して捕捉外線Ｌと該当子機２０との通話パスを接続する。
【００５３】
利用者がダイヤルした短縮ダイヤルにポーズコードが含まれている場合（ステップＳ６０２：ＹＥＳ）、制御部１４は、記憶部１５の短縮ダイヤルテーブルを参照して、ポーズコードの前までのダイヤルを外線Ｉ／Ｆ１１を介してＩＳＤＮ交換網側に発信する（ステップＳ６０３）。次に、制御部１４は、ポーズコードにより、ステミュラス手順コードが送られてくるのを所定の期間待つ（ステップＳ６０４）。
なお、ポーズコードによりステミュラス手順コードが送られてくるのを待つ期間は、適宜自由に設定することができる。
【００５４】
ポーズ待ち中にＩＳＤＮ交換網側からステミュラス手順コードが送られてこないと（ステップＳ６０４：ＮＯ）、制御部１４は、通話路スイッチ１３を制御して捕捉外線Ｌと該当子機２０との通話パスを接続し、記憶部１５の短縮ダイヤルテーブルを参照して、利用者がダイヤルした短縮ダイヤルに登録されている番号をダイヤルし（ステップＳ６０７）、該当外線Ｌを捕捉させ、その捕捉外線Ｌを介して交換網側へダイヤル信号をＰＢ信号で送信させる。
【００５５】
ポーズ待ち中に外線Ｉ／Ｆ１１がＩＳＤＮ交換網側からステミュラス手順コードを受信すると（ステップＳ６０４：ＹＥＳ）、制御部１４は、利用者がダイヤルした短縮ダイヤルのポーズコードの後ろのダイヤルを、ステミュラスデータ形式に変換し、外線Ｉ／Ｆ１１を介してＩＳＤＮ交換網側に送出する（ステップＳ６０５）。
【００５６】
ステミュラス自動解除コードの後ろのダイヤルをステミュラスデータ形式に変換してＩＳＤＮ交換網側に送出すると、制御部１４は、ステミュラスモードを解除する（ステップＳ６０６）。そして、制御部１４は、これより後に操作部２６により検出されるダイヤルはＰＢ信号に変換し、外線Ｉ／Ｆ１１を介してＩＳＤＮ交換網側に出力する。
【００５７】
上述したように、第５の実施の形態にかかる電話装置は、短縮ダイヤルにポーズコードが含まれており、かつポーズ待ち中にステミュラス手順コードを受信すると、ポーズコードの後ろのダイヤルをステミュラスデータ形式に変換してＩＳＤＮ交換網側に送出した後、自動的にステミュラスモードを解除する。このため、第５の実施の形態にかかる電話装置は、ダイヤルＱ２のパスワードジャンルの番組のサービスを受けるのに使い勝手がよい。
【００５８】
なお、上述した第５の実施の形態にかかる電話装置の動作は、記憶部１５に記憶されたプログラムを制御部１４が実行することにより実現される。
【００５９】
［第６の実施の形態］
次に、第６の実施の形態にかかる電話装置について説明する。
第６の実施の形態は、短縮ダイヤルの中に区切りコードを登録したものである。この区切りコードとは、情報が任意の場所、つまり区切りコードが挿入されている箇所で区切られていることを示す。ここで、利用者は、記憶部１５の短縮ダイヤルテーブルに短縮ダイヤルにダイヤルＱ２のパスワードジャンルの番組を登録する際に、ダイヤルＱ２のパスワードジャンルの番組のダイヤルとパスワードとの間に区切りコードを入れて登録する。
なお、第６の実施の形態における装置の構成は、第１の実施の形態と同じである。よって、第１の実施の形態と同等の構成要素には、同じ符号および名前を付して、説明を適宜省略する。
【００６０】
図７は、第６の実施の形態にかかる電話装置の動作を示すフローチャートである。
利用者が短縮ダイヤルをダイヤルしたことを子機２０の操作部２６が検出すると（ステップＳ７０１）、制御部１４は、記憶部１５の短縮ダイヤルテーブルを参照して、利用者がダイヤルした短縮ダイヤルがダイヤルＱ２のパスワードジャンルの番組の番号である、つまりダイヤルの先頭の番号が「０９９０６」であるか否かを確認する（ステップＳ７０２）。
【００６１】
利用者がダイヤルした短縮ダイヤルがダイヤルＱ２のパスワードジャンルの番組の番号ではない場合（ステップＳ７０２：ＮＯ）、制御部１４は、記憶部１５の短縮ダイヤルテーブルを参照して、利用者がダイヤルした短縮ダイヤルに登録されている番号をダイヤルし（ステップＳ７０７）、該当外線Ｌを捕捉させその捕捉外線Ｌを介して交換網側へダイヤル信号を送信させるとともに、通話路スイッチ１３を制御して捕捉外線Ｌと該当子機２０との通話パスを接続する。
【００６２】
利用者がダイヤルした短縮ダイヤルがダイヤルＱ２のパスワードジャンルの番組の番号である場合（ステップＳ７０２：ＹＥＳ）、制御部１４は、記憶部１５の短縮ダイヤルテーブルを参照して、区切りコードの前までのダイヤルを外線Ｉ／Ｆ１１を介してＩＳＤＮ交換網側に発信する（ステップＳ７０３）。ＩＳＤＮ交換網側からステミュラス手順コードを受信すると（ステップＳ７０４：ＹＥＳ）、制御部１４は、利用者がダイヤルした短縮ダイヤルの区切りコードの後ろのダイヤルを、ステミュラスデータ形式に変換し、外線Ｉ／Ｆ１１を介してＩＳＤＮ交換網側に送出する（ステップＳ７０５）。
【００６３】
区切りコードの後ろのダイヤルをステミュラスデータ形式に変換してＩＳＤＮ交換網側に送出すると、制御部１４は、ステミュラスモードを解除する（ステップＳ７０６）。そして、制御部１４は、これより後に操作部２６により検出されるダイヤルはＰＢ信号に変換し、外線Ｉ／Ｆ１１を介してＩＳＤＮ交換網側に出力する。
【００６４】
上述したように、第６の実施の形態にかかる電話装置は、短縮ダイヤルの先頭のダイヤルがダイヤルＱ２のパスワードジャンルの番組のダイヤルであると場合、区切りコードの前までのダイヤルを発信し、その後ステミュラス手順コードを受信すると、区切りコードの後ろのダイヤルをステミュラスデータ形式に変換してＩＳＤＮ交換網側に送出し、ステミュラスモードを解除する。このため、第４の実施の形態にかかる電話装置は、ダイヤルＱ２のパスワードジャンルの番組のサービスを受けるのに使い勝手がよい。
【００６５】
なお、上述した第６の実施の形態にかかる電話装置の動作は、記憶部１５に記憶されたプログラムを制御部１４が実行することにより実現される。
【００６６】
また、現時点ではダイヤルＱ２のパスワードジャンルの番組の先頭のダイヤルは「０９９０６」であるが、今後ダイヤルＱ２のパスワードジャンルの番組の先頭の番号が変更もしくは追加が生じた場合、その旨を記憶部１５に記憶させることにより、第３の実施の形態にかかる電話装置は、ステミュラスモードを認識して、パスワードの送出後、ステミュラスモードを自動的に解除することができる。
【００６７】
［第７の実施の形態］
図８は、本発明にかかる第７の実施の形態の電話装置の構成を示すブロック図である。同図において、電話装置は、ＩＳＤＮ回線（以下、外線という）Ｌａ〜Ｌｍに接続された主装置１０と、内線伝送路３０を介して主装置１０に接続されたボタン電話機（以下、子機という）２０ａ〜２０ｎと、内線伝送路５０を介して主装置１０に接続された単独電話機（ＰＢ信号タイプ）４０ａ〜４０ｌとから構成される。なお、図８に示す電話装置は、図１で示した電話装置の主装置に単独電話機を接続したものであるので、同等の構成要素には同じ符号および名称を付して、説明を適宜省略する。
【００６８】
主装置１０には、内線伝送路５０を介して単独電話機４０（４０ａ〜４０ｌ）を収容する２ＷＩ／Ｆ１６と、単独電話機４０（４０ａ〜４０ｌ）から入力されるＰＢ信号を受信し蓄積するＰＢレシーバ１７とがさらに設けられている。
【００６９】
一方、単独電話機４０（４０ａ〜４０ｌ）は、それぞれ同様の構成を有しており、内線伝送路５０を介して主装置１０とデータ伝送を行う外線Ｉ／Ｆ４１と、外線Ｉ／Ｆ４１で受信した音声データを音声信号に復号化して送受機ＨＳのスピーカＳＰから出力するとともに、送受機ＨＳのマイクＭＩＣから入力した音声信号を符号化して外線Ｉ／Ｆ４１へ出力する通話回路４２と、ダイヤルキー等の操作を検出する操作部４３と、ダイヤルキーの操作をＰＢ信号に変換して外線Ｉ／Ｆ４１に出力するＰＢダイヤラー４４と、送受機ＨＳのオンフックとオフフックとを検出するフックスイッチ４５と、受話信号を拡声するブザー４６とから構成される。
【００７０】
以上のように構成された電話装置において、単独電話機４０のフックスイッチ４５がオフフック状態を検出すると、外線Ｉ／Ｆ４１は、内線伝送路５０を介して主装置１０の２ＷＩ／Ｆ１６と直流ループを閉結する。主装置１０の制御部１４は、単独電話機４０との間に直流ループが閉結されたことを検出すると、ＰＢレシーバ１７を捕捉して、単独電話機４０からＰＢ信号が送信されてくるのに備える。利用者が操作部４３を操作することにより電話番号をダイヤルすると、単独電話機４０のＰＢダイヤラー４４は、そのダイヤルをＰＢ信号に変換して、外線Ｉ／Ｆ４１を介し主装置１０へ送信する。主装置１０の制御部１４は、２ＷＩ／Ｆ１６がＰＢ信号の受信を検出すると、このＰＢ信号を通話路スイッチ１３を介して捕捉しているＰＢレシーバ１７に一時蓄える。単独電話機４０からのＰＢ信号を全て受信すると、制御部１４は、外線Ｉ／Ｆ１１に該当外線Ｌを捕捉させて、この捕捉外線Ｌを介してＩＳＤＮ交換網側へＰＢレシーバ１７に蓄積されたＰＢ信号を送信させるともに、通話路スイッチ１３を制御して捕捉外線Ｌと該当単独電話機４０との通話パスを接続する。これにより相手の呼出が行われ、相手が応答すると、利用者の単独電話機４０を介する外線発信通話が行われる。
なお、制御部１４は、ＰＢレシーバ１７に蓄積されたＰＢ信号の送信が終了すると、ＰＢレシーバ１７を解放する。ＰＢレシーバ１７の解放後に単独電話機４０から送信されるＰＢ信号は、形成された通話パスを介して外線Ｉ／Ｆ１１および捕捉外線ＬによりＩＳＤＮ交換網側に送出される。
【００７１】
外線Ｉ／Ｆ１１は、ＩＳＤＮ交換網側に送出する各種信号をデジタル信号に変換して、ＩＳＤＮ交換網側に送出する。
【００７２】
制御部１４は、ＰＢレシーバ解放タイマを備える。このＰＢレシーバ解放タイマは、制御部１４がＰＢレシーバを捕捉している期間を計測する。制御部１４がＰＢレシーバを捕捉してから所定の期間が経過したことをＰＢレシーバ解放タイマが計測すると（タイムアップ）、制御部１４は、ＰＢレシーバを解放する。なお、ＰＢレシーバ解放タイマは、所定の操作により計測する期間を延長することができる。
【００７３】
記憶部１５は、ＰＢレシーバを捕捉する期間を延長するダイヤルを記録するＰＢレシーバ延長テーブルを備える。利用者がＰＢレシーバ延長テーブルを登録してある番号をダイヤルすると、制御部１４は、ＰＢレシーバを捕捉している期間を延長する。
【００７４】
次に、図９および図１０を参照して、第７の実施の形態にかかる電話装置の動作について説明する。図９および図１０は、第７の実施の形態にかかる電話装置の動作を示すフローチャートである。第７の実施の形態は、ＰＢレシーバ解放タイマを用いたものである。
【００７５】
利用者が送受機ＨＳを持ち上げることにより単独電話機４０のフックスイッチ４５がオフフック状態を検出すると、外線Ｉ／Ｆ４１は、内線伝送路５０を介して主装置１０の２ＷＩ／Ｆ１６と直流ループを閉結する。この直流ループが閉結されると、主装置１０の制御部１４は、ＰＢレシーバ１７を捕捉する（ステップＳ９０１）。制御部１４は、ＰＢレシーバを捕捉すると、ＰＢレシーバ解放タイマをスタートする（ステップＳ９０２）。利用者ダイヤルＱ２の電話番号をダイヤルしたことを単独電話機４０の操作部４３が検出すると（ステップＳ９０３）、そのダイヤルをＰＢダイヤラー４４がＰＢ信号に変換し、このＰＢ信号を外線Ｉ／Ｆ４１は、内線伝送路５０を介して主装置１０に送出する。２ＷＩ／Ｆ１６がＰＢ信号を受信すると、制御部１４は、ＰＢレシーバ解放タイマをリスタートする（ステップＳ９０４）。また、２ＷＩ／Ｆ１６が受信したＰＢ信号は、ＰＢレシーバ１７に蓄積される。
【００７６】
制御部１４は、２ＷＩ／Ｆ１６が受信したＰＢ信号から、利用者がダイヤルした電話番号がＰＢレシーバ延長テーブルに登録されているか否かを識別する（ステップＳ９０５）。
【００７７】
利用者がダイヤルした電話番号がＰＢレシーバ延長テーブルに登録されている場合（ステップ９０５：ＹＥＳ）、制御部１４は、ＰＢレシーバ１７に蓄積されたＰＢ信号を外線Ｉ／Ｆ１１を介してＩＳＤＮ交換網側に発信し（ステップＳ９０８）、ＰＢレシーバ解放タイマが計測する期間を延長するようＰＢレシーバ解放タイマをセットし直す（ステップＳ９０９）。
利用者がダイヤルした電話番号がＰＢレシーバ延長テーブルに登録されていない場合（ステップ９０５：ＮＯ）、制御部１４は、今回ダイヤルした電話番号が、前回ダイヤルした電話番号と同じであるか否かを確認する（ステップＳ９０６）。前回ダイヤルした電話番号は、記憶部１５に発信履歴として記憶されている。制御部１４は、その発信履歴を参照して今回ダイヤルした電話番号が、前回ダイヤルした電話番号と同じであるか否かを確認する。
【００７８】
今回ダイヤルした電話番号が前回ダイヤルした電話番号と異なる場合（ステップＳ９０６：ＮＯ）、制御部１４は、ＰＢレシーバ１７に蓄積されたＰＢ信号を発信し外線Ｉ／Ｆ１１を介してＩＳＤＮ交換網側に発信し（ステップＳ９１１）、ＰＢレシーバを解放して通常処理を行う。
今回ダイヤルした電話番号が、前回ダイヤルした電話番号と同じ場合（ステップＳ９０６：ＹＥＳ）、利用者が前回のダイヤルから１０秒以内に今回のダイヤルを入力したか否かを確認する（ステップＳ９０７）。なお、その１０秒という時間は、必要に応じて自由に設定することができる。
【００７９】
前回のダイヤルから１０秒以内に同じダイヤルを入力しなかった場合（ステップＳ９０６：ＹＥＳ、Ｓ９０７：ＮＯ）、制御部１４は、ＰＢレシーバ１７に蓄積されたＰＢ信号を外線Ｉ／Ｆ１１を介してＩＳＤＮ交換網側に発信し（ステップＳ９１１）、ＰＢレシーバを解放して通常処理、すなわちＰＢレシーバ１７の解放後に単独電話機４０から送信されるＰＢ信号を、形成された通話パスを介して外線Ｉ／Ｆ１１および捕捉外線ＬによりＩＳＤＮ交換網側に送出する。
前回のダイヤルから１０秒以内に同じダイヤルを入力した場合（ステップＳ９０６、９０７：ＹＥＳ）、利用者は、ダイヤルＱ２のパスワードジャンルの番組のサービスが受けられなかったので、再度同じダイヤルをしたと考えられる。このため、制御部１４は、ＰＢレシーバ１７に蓄積されたＰＢ信号を外線Ｉ／Ｆ１１を介してＩＳＤＮ交換網側に（ステップＳ９０８）、ＰＢレシーバ解放タイマが計測する期間を延長するようＰＢレシーバ解放タイマをセットし直す（ステップＳ９０９）。
【００８０】
次に、制御部１４は、単独電話機４０の操作部４３が、利用者がさらにダイヤルしたことを検出したか否かを確認する（ステップＳ９１０）。
単独電話機４０の操作部４３が、利用者がさらにダイヤルしたことを検出した場合（ステップＳ９１０：ＹＥＳ）、制御部１４は、図１０のステップＳ１００１の処理に進む。
単独電話機４０の操作部４３が、利用者がさらにダイヤルしたことを検出しなかった場合（ステップＳ９１０：ＮＯ）、制御部１４は、ＰＢレシーバ解放タイマがタイムアップになったか否かを確認する（ステップＳ９１２）。
【００８１】
ＰＢレシーバ解放タイマがまだタイムアップにならない場合（ステップＳ９１２：ＮＯ）、制御部１４は、ステップＳ９１０の処理に戻る。
ＰＢレシーバ解放タイマがタイムアップになった場合（ステップＳ９１２：ＹＥＳ）、制御部１４は、ＰＢレシーバを解放し（ステップＳ９１３）、通常処理、すなわちＰＢレシーバ１７の解放後に単独電話機４０から送信されるＰＢ信号を、形成された通話パスを介して外線Ｉ／Ｆ１１および捕捉外線ＬによりＩＳＤＮ交換網側に送出する。
【００８２】
単独電話機４０の操作部４３が、利用者がさらにダイヤルしたことを検出すると、制御部１４は、既にＩＳＤＮ交換網側からステミュラス手順コードを受信しているか否かを確認する（ステップＳ１００１）。
既にＩＳＤＮ交換網側からステミュラス手順コードを受信している場合（ステップＳ１００１：ＹＥＳ）、制御部１４は、ステップＳ９１０で検出したダイヤルをステミュラスデータ形式に変換し、外線Ｉ／Ｆ１１を介してＩＳＤＮ交換網側に送信する（ステップＳ１００２）。
ＩＳＤＮ交換網側からステミュラス手順コードを受信していない場合（ステップＳ１００１：ＮＯ）、制御部１４は、ステップＳ９１０で検出したダイヤルをＰＢ信号のまま外線Ｉ／Ｆ１１を介してＩＳＤＮ交換網側に送信する（ステップＳ１００７）。
【００８３】
次に、制御部１４は、利用者がダイヤルしたダイヤルＱ２の番組の番号がＰＢレシーバ延長テーブルに登録されているか否かを確認する（ステップＳ１００３）。
利用者がダイヤルした電話番号がＰＢレシーバ延長テーブルに登録されている場合（ステップＳ１００３：ＹＥＳ）、制御部１４は、ＰＢレシーバ解放タイマがタイムアップになったか否かを確認する（ステップＳ１００５）。
利用者がダイヤルした電話番号がＰＢレシーバ延長テーブルに登録されていない場合（ステップＳ１００３：ＮＯ）、制御部１４は、今回ダイヤルしたダイヤルＱ２の電話番号を、ＰＢレシーバ延長テーブルに登録する（ステップＳ１００４）。これにより、利用者は、次に同じダイヤルＱ２の番組を利用する際には、自動的にサービスを受けることができる。
【００８４】
次に、制御部１４は、ＰＢレシーバ解放タイマがタイムアップになったか否かを確認する（ステップＳ１００５）。
ＰＢレシーバ解放タイマがタイムアップになった場合（ステップＳ１００５：ＹＥＳ）、制御部１４は、ＰＢレシーバを解放し（ステップＳ１００６）、通常処理、すなわちＰＢレシーバ１７の解放後に単独電話機４０から送信されるＰＢ信号を、形成された通話パスを介して外線Ｉ／Ｆ１１および捕捉外線ＬによりＩＳＤＮ交換網側に送出する。
ＰＢレシーバ解放タイマがまだタイムアップにならない場合（ステップＳ１００５：ＮＯ）、制御部１４は、ステップＳ９１０の処理に戻る。
【００８５】
上述したように、第７の実施の形態にかかる電話装置は、主装置に接続された単独電話機からダイヤルＱ２のパスワードジャンルの番組のサービスを受ける場合、ＰＢレシーバ解放タイマによりＰＢレシーバを捕捉し、ＰＢレシーバを捕捉している間にステミュラス手順コードを受信すると、ＰＢ信号をステミュラスデータ形式に変換してＩＳＤＮ交換網側に送出する。このため、第７の実施の形態にかかる電話装置においても、ダイヤルＱ２のパスワードジャンルの番組のサービスを受けることが可能になる。
【００８６】
なお、上述した第７の実施の形態にかかる電話装置の動作は、記憶部１５に記憶されたプログラムを制御部１４が実行することにより実現される。
【００８７】
また、本実施の形態において、単独電話機で同じ番号に１０秒以内にかけ直した場合にＰＢレシーバの捕捉時間を長くするようにしたが、これによりダイヤルＱ２の他にＰＢ信号を出す間隔が長い操作を必要とするサービスセンタにも対応することが可能になる。
【００８８】
［第８の実施の形態］
次に、第８の実施の形態にかかる電話装置について説明する。第８の実施の形態は、ＩＳＤＮ交換網側からステミュラス手順コードを受信すると、ＰＢレシーバを捕捉するようにしたものである。
なお、第８の実施の形態における装置の構成は、第７の実施の形態と同じである。よって、第７の実施の形態と同等の構成要素には同じ符号および名前を付して、説明を適宜省略する。
【００８９】
図１１は、第８の実施の形態にかかる電話装置の動作を示すフローチャートである。
利用者が送受機ＨＳを持ち上げることにより単独電話機４０のフックスイッチ４５がオフフック状態を検出すると、外線Ｉ／Ｆ４１は、内線伝送路５０を介して主装置１０の２ＷＩ／Ｆ１６と直流ループを閉結する。この直流ループが閉結されると、主装置１０の制御部１４は、ＰＢレシーバ１７を捕捉する（ステップＳ１１０１）。利用者ダイヤルＱ２の電話番号をダイヤルしたことを単独電話機４０の操作部４３が検出すると、そのダイヤルをＰＢダイヤラー４４がＰＢ信号に変換し、このＰＢ信号を外線Ｉ／Ｆ４１は、内線伝送路５０を介して主装置１０に送出する。制御部１４は、ＰＢレシーバ１７に蓄積したダイヤルＱ２の電話番号に対応するＰＢ信号を外線Ｉ／Ｆ１１を介してＩＳＤＮ交換網側に送出する（ステップＳ１１０２）。ＰＢ信号がＩＳＤＮ交換網側に送信されると、制御部１４は、ＰＢレシーバ１７を解放する（ステップＳ１１０３）。
【００９０】
次に、制御部１４は、外線Ｉ／Ｆ１１がＩＳＤＮ交換網側からステミュラス手順コードの受信を確認する（ステップＳ１１０４）。
制御部１４は、外線Ｉ／Ｆ１１がＩＳＤＮ交換網側からステミュラス手順コードが送られてこないと、（ステップＳ１１０４：ＮＯ）、通常処理、すなわち単独電話機４０から送信されるＰＢ信号を、形成された通話パスを介して外線Ｉ／Ｆ１１および捕捉外線ＬによりＩＳＤＮ交換網側に送出する。
制御部１４は、外線Ｉ／Ｆ１１がＩＳＤＮ交換網側からステミュラス手順コードを受信すると（ステップＳ１１０４：ＹＥＳ）、ＰＢレシーバ１７を再び捕捉し（ステップＳ１１０５）、利用者がダイヤルしたことを単独電話機４０の操作部４３が検出したか否かを確認する（ステップＳ１１０６）。
【００９１】
単独電話機４０の操作部４３が利用者がダイヤルしたことを検出すると（ステップＳ１００６：ＹＥＳ）、主装置１０は、そのダイヤルをステミュラスデータ形式に変換して、外線Ｉ／Ｆ１１を介してＩＳＤＮ交換網側に送信し（ステップＳ１００７）、ＰＢレシーバ１７を解放する（ステップＳ１１０８）。
単独電話機４０の操作部４３が利用者がダイヤルしたことを検出しないと（ステップＳ１００６：ＮＯ）、制御部１４は、通常処理、すなわちＰＢレシーバ１７の解放後に単独電話機４０から送信されるＰＢ信号を、形成された通話パスを介して外線Ｉ／Ｆ１１および捕捉外線ＬによりＩＳＤＮ交換網側に送出する。
【００９２】
上述したように、第８の実施の形態にかかる電話装置は、主装置に接続された単独電話機からダイヤルＱ２のパスワードジャンルの番組のサービスを受ける場合、ステミュラス手順コードを受信するとＰＢレシーバを捕捉し、利用者が入力したダイヤルをステミュラスデータ形式に変換してＩＳＤＮ交換網側に送出すると、ＰＢレシーバを解放するようにしたものである。このため、第８の実施の形態にかかる電話装置においても、ダイヤルＱ２のパスワードジャンルの番組のサービスを受けることが可能になる。
【００９３】
なお、上述した第８の実施の形態にかかる電話装置の動作は、記憶部１５に記憶されたプログラムを制御部１４が実行することにより実現される。
【００９４】
また、第１〜第３の実施の形態において、主装置に子機を接続した電話装置について説明したが、子機の替わりに単独電話機（ＤＰ信号タイプ）を接続しても同様の作用および効果を得ることができる。この場合、図８に示す単独電話機４０のＰＢダイヤラー４４を、ＤＰダイヤラーに変更すればよいので、説明は省略する。
【００９５】
【発明の効果】
以上説明したように本発明によれば、ステミュラス手順コードを受信すると、パスワードをステミュラスデータ形式に変換してＩＳＤＮ回線側に送出し、パスワード送出後は操作部から入力される情報をＰＢ信号に変換するため、手動でステミュラスモードを解除する必要がないので、ダイヤルＱ２のパスワードジャンルの番組のサービスを受けるのに使い勝手がよい。
また、本発明によれば、パスワードをステミュラスデータ形式に変換してＩＳＤＮ回線側に送出後、相手応答を受信すると、操作部から入力される情報をＰＢ信号に変換するため、手動でステミュラスモードを解除する必要がなく、ダイヤルＱ２のパスワードジャンルの番組のサービスを受けるのに使い勝手がよい。
【００９６】
また、本発明によれば、ボタン電話装置の主装置に接続された単独電話機において、ステミュラス手順コードを受信すると、単独電話機から入力されるパスワードをステミュラスデータ形式に変換してＩＳＤＮ回線側に送出し、パスワード送出後は操作部から入力される情報をＰＢ信号に変換するため、手動でステミュラスモードを解除する必要がないので、ダイヤルＱ２のパスワードジャンルの番組のサービスを受けるのに使い勝手がよい。
【図面の簡単な説明】
【図１】  本発明にかかる第１の実施の形態の電話装置の構成を示すブロック図である。
【図２】  第１の実施の形態にかかる電話装置の動作を示すフローチャートである。
【図３】  第２の実施の形態にかかる電話装置の動作を示すフローチャートである。
【図４】  第３の実施の形態にかかる電話装置の動作を示すフローチャートである。
【図５】  第４の実施の形態にかかる電話装置の動作を示すフローチャートである。
【図６】  第５の実施の形態にかかる電話装置の動作を示すフローチャートである。
【図７】  第６の実施の形態にかかる電話装置の動作を示すフローチャートである。
【図８】  本発明にかかる第７の実施の形態の電話装置の構成を示すブロック図である。
【図９】  第７の実施の形態にかかる電話装置の動作を示すフローチャートである。
【図１０】  第７の実施の形態にかかる電話装置の動作を示すフローチャートである。
【図１１】  第８の実施の形態にかかる電話装置の動作を示すフローチャートである。
【図１２】  従来の端末装置とＩＳＤＮ交換網との間の通信を表すタイミングチャートである。
【符号の説明】
１０…主装置、  １１，１１ａ〜１１ｍ…外線Ｉ／Ｆ、１２…内線Ｉ／Ｆ、１３…通話路スイッチ、１４…制御部、１５…記憶部、１６…２ＷＩ／Ｆ、１７…ＰＢレシーバ、２０，２０ａ〜２０ｎ…ボタン電話機、２１…伝送回路、２２…通話回路、２３…子機制御部、２４…記憶部、２５…表示部、２６…操作部、２７…ブザー、３０…内線伝送路、４０，４０ａ〜４０ｌ…単独電話機、４１…外線Ｉ／Ｆ、４２…通話回路、４３…操作部、４４…ＰＢダイヤラー、４５…フックスイッチ、４６…ブザー、５０…内線伝送路、Ｌａ〜Ｌｍ…ＩＳＤＮ回線、ＨＳ…送受機、ＭＩＣ…マイク、ＳＰ…スピーカ。
【図１】
0004085678.tif 000002
【図２】
0004085678.tif 000003
【図３】
0004085678.tif 000004
【図４】
0004085678.tif 000005
【図５】
0004085678.tif 000006
【図６】
0004085678.tif 000007
【図７】
0004085678.tif 000008
【図８】
0004085678.tif 000009
【図９】
0004085678.tif 000010
【図１０】
0004085678.tif 000011
【図１１】
0004085678.tif 000012
【図１２】
0004085678.tif 000013